(57)【要約】【課題】装置からの帯状の印字媒体の抜け落ちを、パーシャルカットによらずに防ぐ。また、レシートが長い場合の取り扱いを容易にする。【解決手段】プリンタ装置は、発行口と、印字部と、切断部と、仮止め部とを備える。発行口は、所定の経路に沿って搬送される帯状の印字媒体を筐体外に排出する。印字部は、前記印字媒体に印字データに基づく印字を行う。切断部は、前記印刷媒体が搬送される搬送方向において前記印字部よりも下流側に設けられ、前記印字媒体を切断する。仮止め部は、前記搬送方向において前記切断部よりも下流側に設けられ、前記印刷媒体が搬送される前記経路から外れた位置で前記印刷媒体の先端部を保持する。【選択図】図１１
2017128038.tif 000002
【特許請求の範囲】
【請求項１】
所定の経路に沿って搬送される帯状の印字媒体を筐体外に排出する発行口と、
前記印字媒体に印字データに基づく印字を行う印字部と、
前記印刷媒体が搬送される搬送方向おいて前記印字部よりも下流側に設けられ、前記印字媒体を切断する切断部と、
前記搬送方向において前記切断部よりも下流側に設けられ、前記印刷媒体が搬送される前記経路から外れた位置で前記印刷媒体の先端部を保持する仮止め部と、
を備えるプリンタ装置。
【請求項２】
前記仮止め部は、前記印刷媒体の印字面が外向きに曲がるよう前記印刷媒体の先端部を保持する
ことを特徴とする請求項１に記載のプリンタ装置。
【請求項３】
前記仮止め部は、弾性部材によって前記印刷媒体を挟持する
ことを特徴とする請求項１または２に記載のプリンタ装置。
【請求項４】
前記仮止め部は、前記印刷媒体を保持しない第１状態と、前記印刷媒体を保持する第２状態と、のいずれかの状態をとり、
前記印字データに関する所定の基準に基づいて、前記仮止め部が前記第１状態および前記第２状態のいずれの状態をとるかの制御を行う仮止め制御部を、さらに備える
ことを特徴とする請求項１〜３のいずれか１つに記載のプリンタ装置。
【請求項５】
前記仮止め制御部は、前記印字データの量が前記基準と比較して多いと判断したことを条件に、前記仮止め部を前記第２状態にする
ことを特徴とする請求項１〜４のいずれか１つに記載のプリンタ装置。
【発明の詳細な説明】
【技術分野】
【０００１】
本発明の実施形態は、プリンタ装置に関する。
【背景技術】
【０００２】
従来、ＰＯＳ（Point  Of  System）端末装置は、プリンタ部を内蔵している。該プリンタは、購入明細を印字したレシートを、発行する。プリンタ部は、帯状の紙を切断してレシートとするためのカッタを備えている。カッタは、フルカットまたはパーシャルカットを行う。
【０００３】
フルカットは、帯状の紙を全幅に渡って完全に切断し、紙からレシートを切り取る切断方式である。パーシャルカットは、一部残して紙を切断する切断方式で、帯状の紙とレシートとの境に未切断部分を残す。このパーシャルカットは、発行されたレシートがＰＯＳ端末装置から抜け落ちることを防止する場合に行われる。パーシャルカットの場合、オペレータがレシートをつかんで手動で未切断部分を引きちぎる。このようにして引きちぎられた箇所は、カッタによる切り口に比べ、見た目が美しくないという問題がある。
【０００４】
また、近年、決済後に客に手渡されるレシートは、購入履歴以外に宣伝情報やクーポンなどを含んでいることがあり、従来に比べて長くなっている。また、宣伝情報やクーポンを含まないレシートも、購入品数が多い場合には長くなる。長いレシートは、オペレータにより適宜折り畳まれて客に手渡される。
【発明の概要】
【発明が解決しようとする課題】
【０００５】
本発明が解決しようとする課題は、フルカットにおいても装置から帯状の紙が抜け落ちることを防ぐことである。
【課題を解決するための手段】
【０００６】
実施形態のプリンタ装置は、発行口と、印字部と、切断部と、仮止め部とを備える。発行口は、所定の経路に沿って搬送される帯状の印字媒体を筐体外に排出する。印字部は、前記印字媒体に印字データに基づく印字を行う。切断部は、前記印刷媒体が搬送される搬送方向において前記印字部よりも下流側に設けられ、前記印字媒体を切断する。仮止め部は、前記搬送方向において前記切断部よりも下流側に設けられ、前記印刷媒体が搬送される前記経路から外れた位置で前記印刷媒体の先端部を保持する。
【図面の簡単な説明】
【０００７】
【図１】図１は、第１実施形態におけるＰＯＳ端末装置の外観を示す斜視図である。
【図２】図２は、プリンタ部の構造を模式的に示す図である。
【図３−１】図３−１は、仮止め部の動作を説明する模式図であって、可動クランプの移動前の状態を示す図である。
【図３−２】図３−２は、仮止め部の動作を説明する模式図であって、可動クランプの移動中の状態を示す図である。
【図３−３】図３−３は、仮止め部の動作を説明する模式図であって、可動クランプの移動後の状態を示す図である。
【図４】図４は、可動クランプおよび可動刃を動作させる仕組みを説明する図である。
【図５】図５は、可動クランプの動作を説明する図である。
【図６】図６は、可動刃の動作を説明する図である。
【図７】図７は、可動クランプおよび可動刃の動作を示す図である。
【図８】図８は、プリンタ部の電気的接続を示すブロック図である。
【図９】図９は、プリンタ部の機能構成を示すブロック図である。
【図１０】図１０は、可動クランプが紙の先端部を保持した状態を示す図である。
【図１１】図１１は、紙が発行口からループ状に排出された状態を示す図である。
【図１２】図１２は、ループ状に排出されたレシートの外観例を示す図である。
【図１３】図１３は、第２実施形態における処理の流れを示すフローチャートである。
【発明を実施するための形態】
【０００８】
（第１実施形態）
第１実施形態について図面を用いて説明する。図１は、第１実施形態にかかるプリンタ装置の一例であるプリンタ部を備えるＰＯＳ端末装置１の外観を示す斜視図である。ＰＯＳ端末装置１は、本体２、ディスプレイ３、サブディスプレイ４、キーボード５、タッチパネル６、バーコードスキャナ７、およびプリンタ部８を備えている。
【０００９】
ＰＯＳ端末装置１は、貨幣入出金装置１０に載置されて用いられる。貨幣入出金装置１０は、硬貨入出金部１１および紙幣入出金装置１２を備えている。貨幣入出金装置１０は、入金額および出金額の算出を行い、また、ＰＯＳ端末装置１が出力する信号に応じて釣銭を払い出す。
【００１０】
本体２は、箱型の筐体２１を有し、上記各部（ディスプレイ３、サブディスプレイ４、キーボード５、タッチパネル６、バーコードスキャナ７、およびプリンタ部８）を統括的に制御する制御部（不図示）を内蔵している。
【００１１】
ディスプレイ３は、本体２の上面奥側に立てて設けられ、オペレータに向けて各種情報を文字や画像で表示する。サブディスプレイ４は、ディスプレイ３のさらに奥側に設けられ、販売データ処理中および決済中の商品の購入者に向けて各種情報を文字や画像で表示する。
【００１２】
キーボード５、タッチパネル６、およびバーコードスキャナ７は、オペレータから操作を受け、オペレータの操作に応じた出力を制御部に送る操作部である。キーボード５は、本体２の上面手前側に設けられ、オペレータからの操作を受け付ける。タッチパネル６は、ディスプレイ３の表面に積層して設けられ、オペレータからの操作を受け付ける。バーコードスキャナ７は、商品に付されているバーコードを読み取る。
【００１３】
プリンタ部８は、プリンタ装置の一例である。プリンタ部８は、レシートを印字し発行する。レシートは、購入明細すなわち決済対象の商品の一覧および金額などを表示する紙片である。図２は、プリンタ部８の構造を模式的に示す図である。
【００１４】
プリンタ部８は、ロール紙保持部８１、ダンパ８２、センサ８３、サーマルヘッド８４、プラテンローラ８５、切断部８６、仮止め部８７、および発行口８８を備えている。サーマルヘッド８４およびプラテンローラ８５は、印字部８９を構成する。また、プラテンローラ８５は、紙搬送経路Ａに沿って紙Ｘを搬送する搬送部として機能する。ここで、紙Ｘが発行口８８へ近づく向きを順搬送方向として図２に矢印で示す。以降の「上流側」および「下流側」は、順搬送方向に基づく表現である。なお、紙Ｘは、印字媒体の一例である。
【００１５】
ロール紙保持部８１は、帯状の感熱紙（以下単に紙と呼称する）Ｘが巻かれたロール紙を、引き出し可能に保持する。この帯状の紙Ｘが切断部８６により切断されてレシートとなる。
【００１６】
ダンパ８２は、ロール紙保持部８１から引き出されて印字部８９に至る紙Ｘの張力を調節する。これにより、ダンパ８２は、印字部８９における紙Ｘの搬送を滑らかにし、送り速度をほぼ一定に保って、搬送抵抗の変動を少なくすることにより、良好な印字品質に貢献する。センサ８３は、印字部８９の上流側に設けられ、紙切れを検知する。
【００１７】
発行口８８は、紙搬送経路Ａの終端であり、紙搬送経路Ａに沿って搬送される紙Ｘを筐体２１外に排出する排紙口である。別の言い方をすると、発行口８８は、レシートを発行するために筐体２１に設けられた開口である。
【００１８】
印字部８９は、紙搬送経路Ａに設けられている。サーマルヘッド８４は、紙幅方向に複数個並ぶ発熱素子を有し、発熱素子の発熱により、紙Ｘへ印字する。サーマルヘッド８４は、ばねで付勢されてプラテンローラ８５に密着する。プラテンローラ８５は、サーマルヘッド８４との間で紙Ｘを保持する。また、プラテンローラ８５は、軸回りに回転自在であって、モータ（不図示）の駆動力により回転して、サーマルヘッド８４との間の紙Ｘを搬送する。
【００１９】
切断部８６は、紙搬送経路Ａに設けられており、紙Ｘを切断（カット）するカッタである。切断部８６は、固定刃９１と可動刃９２とを備える。固定刃９１と可動刃９２とは、切断部８６の非稼働時には印字部８９から発行口８８までの紙搬送経路Ａを介して対向するよう、設けられている。言い換えれば、切断部８６は、非稼働時には、固定刃９１と可動刃９２とで、紙搬送経路Ａの一部を形成する。
【００２０】
固定刃９１は、プリンタ部８内に固定的に（位置不動に）設けられている。可動刃９２は、固定刃９１に対して接離自在に設けられている。別の言い方で説明すると、可動刃９２は、固定刃９１に重なる位置と固定刃９１から離れて紙搬送経路Ａを介して対向する位置との間で移動自在に設けられている。切断部８６は、可動刃９２を、固定刃９１に重なる位置へ移動させることによって、紙Ｘを切断する。
【００２１】
なお、固定刃９１および可動刃９２は、紙Ｘの幅よりも長い切刃を有し、紙Ｘを全幅にわたって切断（フルカット）する。
【００２２】
仮止め部８７は、紙搬送経路Ａにおける切断部８６および印字部８９よりも発行口８８寄りの位置に、設けられている。つまり、仮止め部８７は、発行口８８の上流側であって切断部８６および印字部８９の下流側に設けられている。仮止め部８７は、紙Ｘが発行口８８へ向かう紙搬送経路Ａから外して設定された位置において、紙Ｘの先端部を一時的に保持する。
【００２３】
仮止め部８７は、固定クランプ９３と可動クランプ９４とを備える。可動クランプ９４は、固定クランプ９３に対して移動可能である。この移動に伴い、固定クランプ９３および可動クランプ９４は、第１状態および第２状態の一方から他方に変わる。
【００２４】
仮止め部８７は、紙Ｘを保持しない非稼働時に、第１状態をとる。第１状態では、可動クランプ９４は、固定クランプ９３と紙Ｘの厚さ方向に略沿って離れて位置し、固定クランプ９３と紙搬送経路Ａを介して対向する。言い換えれば、非稼働時の仮止め部８７は、固定クランプ９３と可動クランプ９４とで、紙搬送経路Ａの一部を形成する。
【００２５】
仮止め部８７は、紙Ｘを保持する稼働時に、第２状態をとる。第２状態では、可動クランプ９４は、固定クランプ９３との間に紙Ｘの先端部を挟む。第２状態をとるにあたり、可動クランプ９４は、紙搬送経路Ａを渡って移動する。
【００２６】
可動クランプ９４は、紙Ｘを介して固定クランプ９３に圧接する仮止め位置と、固定クランプ９３と紙搬送経路Ａを介して対向する非稼働位置との間で移動可能に設けられている。当該移動に伴い、可動クランプ９４は、紙搬送経路Ａを紙Ｘの厚さ方向に移動する。稼働中の仮止め部８７は、固定クランプ９３に圧接する位置まで可動クランプ９４を移動させ、両（固定，可動）クランプ９３，９４間に紙Ｘを挟んで保持する。
【００２７】
図３−１、図３−２および図３−３は、仮止め部８７の動作を説明する模式図であって、図２と同じ方向から仮止め部８７を見た図である。図に向かって奥行き方向が紙Ｘの幅方向であり、図中左右方向が紙Ｘの厚さ方向である。可動クランプ９４は、紙Ｘの厚さ方向に移動する。図３−１は、可動クランプ９４の移動前の状態（第１状態）を示し、図３−２は、可動クランプ９４の移動中の状態を示し、図３−３は、可動クランプ９４の移動後の状態（第２状態）を示す。
【００２８】
固定クランプ９３は、可動クランプ９４の移動方向に略直交する向きに付勢されていて、付勢方向に搖動する。
【００２９】
ばね９５は、固定クランプ９３の付勢を行う弾性部材の一例である。仮止め部８７の非稼働時の固定クランプ９３の位置は、仮止め時に可動クランプ９４が位置する位置に一部重なるように突出している。この突出量は、図３−１に図示されているαである。
【００３０】
固定クランプ９３および可動クランプ９４は、可動クランプ９４の移動に伴い初めに接する角が面取りされた形状とされ、斜面９３ａおよび斜面９４ａとされている。斜面９３ａおよび斜面９４ａは、可動クランプ９４の移動（図３−２に矢印Ｂで示す）に伴って接触し、摺動する。当該斜面９３ａと斜面９４ａとの摺動に伴って、可動クランプ９４が固定クランプ９３に乗り上げ、固定クランプ９３が押し下げられる（図３−２に矢印Ｃで示す）。この際、可動クランプ９４は、固定クランプ９３を、ばね９５の付勢に逆らって移動させる。
【００３１】
可動クランプ９４および固定クランプ９３が仮止め位置（図３−３に示す）に位置するとき、可動クランプ９４と固定クランプ９３は互いに圧接する。この圧接力は、ばね９５のフリー状態からの変位量に応じる。この変位量の値は、上述の突出量に等しいαである。上記圧接力に応じた力（保持力）で、仮止め部８７は、紙Ｘを保持する。
【００３２】
仮止め部８７による紙Ｘの保持力は、手動で引き抜き可能な程度である。この「引き抜き可能な程度」とは、つまり、ＰＯＳ端末装置１のオペレータが切断後の紙Ｘ（すなわちレシート）をオペレータが摘まんで手動で引いた場合に、可動クランプ９４および固定クランプ９３の両者間から当該レシートが破れずに抜け出られる程度である。この抜き出し時にレシートが破れにくくするために、可動クランプ９４の紙Ｘが引き抜かれる際に圧接する角部９４ｂは、Ｒ面取り加工されて丸みを付けられている。
【００３３】
ここで、図４は、可動クランプ９４および可動刃９２を動作させる仕組みを説明する図である。また、図５は、可動クランプ９４の非稼働時（実線）と稼働中（二点鎖線）とを併せて示した図であり、図６は、可動刃９２のカット前（実線）とカット中（二点鎖線）とを併せて示した図である。さらに、図７は、可動クランプ９４（実線）とカット前の可動刃９２（点線）とを併せて示した図であり、（ａ）の可動クランプ９４は非稼働時、（ｂ）の可動クランプ９４は稼働中のものである。
【００３４】
図４〜図７は、同じ方向から見た図である。図５，図６および図７における紙搬送経路Ａは、下流側から覗き込んだ状態であって、紙Ｘは、順搬送時、図５，図６および図７における奥側から手前側へと搬送される。図５，図６および図７における図中左右方向は、紙Ｘの厚さ方向である。
【００３５】
図５に示すように、仮止め部８７はセンサ９７をさらに備え、図６に示すように、切断部８６はセンサ９６をさらに備えている。センサ９６は、可動刃９２が非稼働時に位置すべきホームポジションに位置していることを検知する。センサ９７は、可動クランプ９４が稼働中に位置すべき仮止め位置に位置していることを検知する。
【００３６】
また、図４に示すように、プリンタ部８は、モータ２００をさらに備えている。可動クランプ９４および可動刃９２は、いずれも、モータ２００の動力が伝達されて移動する。該移動方向は、紙搬送経路Ａに直交する方向である。
【００３７】
図５に示すように、仮止め部８７は、モータ２００の動力を可動クランプ９４に伝達するリンク部９８を備えている。リンク部９８は、可動クランプ９４と一体化した平板部３０１と、回転盤３０２と、ピン３０３と、被検知部３０４とを備える。平板部３０１は、略長方形の板金で、長辺の両角部に、可動クランプ９４の両端部が連結されている。これにより、長辺と可動クランプ９４とは、間に紙搬送経路Ａを介在させて、平行に対向する。
【００３８】
また、図６に示すように、切断部８６は、モータ２００の動力を、可動刃９２に伝達するリンク部９９を備えている。リンク部９９は、回転盤４０２と、ピン４０３と、被検知部４０４とを備える。可動刃９２は、略長方形の板金の一方の長辺に切刃９２１が設けられたものである。切刃９２１は、Ｖ字状の谷形をなしている。
【００３９】
図４に示すように、プリンタ部８は、伝達ギヤ２０１，２０２、ピニオン２０３、および連結板２０４を、さらに備えている。モータ２００は、伝達ギヤ２０１，２０２およびピニオン２０３を介して、リンク部９８，９９に動力を伝達する。
【００４０】
ピニオン２０３は、モータ２００の回転軸に連結されている。伝達ギヤ２０１は、ピニオン２０３に噛み合う。伝達ギヤ２０１と伝達ギヤ２０２とは、噛み合った状態で、連結板２０４で連結されている。伝達ギヤ２０２は、伝達ギヤ２０１の回転方向に応じて移動し（図４に矢印Ｄで示す）、リンク部９８，９９のどちらか一方に接する。
【００４１】
上述の構成により、図７に示すように順搬送方向下流側から上流側を見た状態で重なる状態に配置された可動クランプ９４、可動刃９２、および各リンク部９８，９９が、一つのモータ２００で駆動される。
【００４２】
リンク部９８の回転盤３０２は、伝達ギヤ２０２と噛み合って、モータ２００の動力伝達を受ける。ピン３０３は、回転盤３０２の上面に立てられていて、平板部３０１に設けられた長孔３０５に嵌まっている。ピン３０３は、回転盤３０２の回転に伴い、長孔３０５内を長手方向に移動する。また、ピン３０３は、長孔３０５内から平板部３０１に力を加えて平板部３０１を移動させる。平板部３０１が移動することにより、可動クランプ９４が移動して、仮止め部８７がその機能を果たす。
【００４３】
リンク部９９の回転盤４０２は、伝達ギヤ２０２と噛み合って、モータ２００の動力伝達を受ける。ピン４０３は、回転盤４０２の上面に立てられていて、可動刃９２に設けられた長孔４０５に嵌まっている。ピン４０３は、回転盤４０２の回転に伴い、長孔４０５内を長手方向に移動する。また、ピン４０３は、長孔４０５内から可動刃９２に力を加えて可動刃９２を移動させる。可動刃９２が移動することにより、切断部８６がその機能を果たす。
【００４４】
被検知部３０４は、可動クランプ９４が仮止め位置に位置しているときにセンサ９７が検知するものである。センサ９７が光センサであれば、被検知部３０４は、センサ９７の発光部と受光部との間に差し込まれる斜光板である。被検知部３０４は、平板部３０１に設けられている。
【００４５】
被検知部４０４は、可動刃９２がホームポジションに位置しているときにセンサ９６が検知するものである。センサ９６が光センサであれば、被検知部４０４は、センサ９６の発光部と受光部との間に差し込まれる斜光板である。被検知部４０４は、可動刃９２に設けられている。
【００４６】
図８は、プリンタ部８の電気的接続を示すブロック図である。図９は、プリンタ部８の機能構成を示すブロック図である。プリンタ部８は、さらに、ＣＰＵ（Central  Processing  Unit）１０１、ＲＯＭ（Read  Only  Memory）１０２、ＲＡＭ（Random  Access  Memory）１０３、入出力ユニット１０４およびドライバ１０５〜１０７を備えている。
【００４７】
ＲＯＭ１０２は、ＣＰＵ１０１が実行する各種プログラムを記憶する。ＲＡＭ１０３は、可変データを書き換え自在に記憶してワークエリアとして使用される。
【００４８】
ＣＰＵ１０１は、ＲＯＭ１０２が記憶するプログラムをＲＡＭ１０３に展開して各種演算処理を実行することにより、各種モジュールとして機能して、プリンタ部８を構成する各部を統括的に制御する。
【００４９】
ＣＰＵ１０１、ＲＯＭ１０２、およびＲＡＭ１０３は、制御部１１０を構成する。制御部１１０は、仮止め制御部１１１および切断制御部１１２を有する。
【００５０】
制御部１１０は、プリンタ部８を構成する各部を統括的に制御する。仮止め制御部１１１は、仮止め部８７が第１状態および第２状態のいずれの状態をとるかの制御を行うものであって、可動クランプ９４を移動させるために、ドライバ１０７に制御信号を送信する。切断制御部１１２は、可動刃９２を移動させるために、ドライバ１０６に制御信号を送信する。ドライバ１０６，１０７は、制御信号を受けると、モータ２００を駆動させる。
【００５１】
入出力ユニット１０４は、ＣＰＵ１０１と、ドライバ１０５〜１０７、印字部８９、仮止め部８７および切断部８６と、の信号のやり取りを中継ぎする。
【００５２】
ドライバ１０５は、制御部１１０の制御に基づき、印字部８９に制御信号を送信する。印字部８９は、ドライバ１０５から受信する制御信号に基づいて稼働し、入出力ユニット１０４を介して制御部１１０にフィードバック信号を返す。ドライバ１０６は、制御部１１０の制御に基づき、仮止め部８７に制御信号を送信する。仮止め部８７は、ドライバ１０６から受信する制御信号に基づいて稼働し、入出力ユニット１０４を介して制御部１１０にフィードバック信号を返す。ドライバ１０７は、制御部１１０の制御に基づき、切断部８６に制御信号を送信する。切断部８６は、ドライバ１０７から受信する制御信号に基づいて稼働し、入出力ユニット１０４を介して制御部１１０にフィードバック信号を返す。
【００５３】
このような構成のプリンタ部８の動作について、以下に説明する。プリンタ部８は、制御部１１０が、ＰＯＳ端末装置１の制御部（不図示）から印字すべきデータ（印字データ）を受け取ると、稼働する。すなわち、制御部１１０は、ドライバ１０５に指示を送信し、ドライバ１０５を介して指示を受信した印字部８９は、印字データに基づく印字を開始する。
【００５４】
印字開始当初に切断部８６に位置していた紙Ｘの先端部が、印字が進むに従って仮止め部８７に至ると、仮止め制御部１１１は、可動クランプ９４を移動させる。図１０は、可動クランプ９４が紙Ｘの先端部を保持した状態（第２状態）を示す図である。比較として、第１状態の仮止め部８７は、図２に示すものである。
【００５５】
印字部８９がさらに印字を進めると、紙Ｘは、印字に伴い搬送されるにしたがって、先端部が保持されたまま矢印Ａ方向に搬送され、発行口８８からループ状に排出される。図１１は、紙Ｘが発行口８８からループ状に排出された状態を示す図である。また、図１２は、ループ状に排出されたレシートの外観例を示す図である。
【００５６】
印字部８９が印字を終えると、切断制御部１１２は、可動刃９２を移動させる。可動刃９２の移動により、切刃９２１が紙搬送経路Ａを横断すると、紙Ｘが切断されて、レシートとなる。このとき、レシートの後端部はフリーの状態であるが、先端部は、仮止め部８７に保持されている。なお、前述の通り、仮止め部８７により保持されたレシートは、手動で引き抜き可能である。
【００５７】
このように、本実施形態によれば、レシートを手動で引き抜き可能に保持して排紙することができる。これにより、フルカットにおいてもレシートの抜け落ちを防ぐことができる。また、フルカットでのレシート発行が可能となるので、切り口が美しいレシートを提供できる。
【００５８】
また、本実施形態によれば、レシートをループ状に排紙することができる。これにより、長いレシートの取り扱いが容易になる。より具体的には、長いレシートを客に手渡す際に適度に折り曲げる手間を減らすことができる。
【００５９】
さらに、本実施形態の仮止め部８７は、図１２に示すようにレシートの印字面が外向きに曲がるように、紙Ｘの先端部を保持する。よって、レシートは印字面が外側を向いてループ状に排紙されるため、合計額等の金額を確認しやすくすることができる。
【００６０】
（第２実施形態）
第２実施形態について図面を用いて説明する。本実施形態は、第１実施形態の変形例である。本実施形態では、第１実施形態と同様の部分についての説明を省略し、第１実施形態と異なる部分について説明する。また、本実施形態において、第１実施形態と同様の部分には、同一の符号を用いる。
【００６１】
第１実施形態では、仮止め部８７は印字内容の量によらず紙の先端部を保持するが、本実施形態では、仮止め制御部１１１が印字内容に応じて制御を変える。
【００６２】
図１３は、仮止め制御部１１１が行う処理の流れを概略的に示すフローチャートである。仮止め制御部１１１は、プリンタ部８の制御部１１０が、ＰＯＳ端末装置１の制御部（不図示）から印字すべきデータ（印字データ）を受け取るのを待機する（ステップＳ１：Ｎｏ）。
【００６３】
制御部１１０が印字データを受け取ると（ステップＳ１：Ｙｅｓ）、仮止め制御部１１１は、印字データ量に応じて処理の条件分岐を行う（ステップＳ２）。すなわち、印字データ量が所定の閾値以上であれば（ステップＳ２：閾値以上）、仮止め制御部１１１は、仮止め部８７を稼動させる（ステップＳ３）。つまり、仮止め制御部１１１は、レシートが長くなる場合に、紙の先端部を保持することにより、レシートがループ状に排出されるようにする。
【００６４】
また、ステップＳ２において、印字データ量が所定の閾値未満であれば（ステップＳ２：閾値未満）、仮止め制御部１１１は、ステップＳ３を行わずに処理を終了する。つまり、仮止め制御部１１１は、レシートが短くなる場合（印字内容が少ない場合）には、仮止め部８７を稼動させずに仮止め部８７を第１状態に留め置いて、仮止め部８７による紙Ｘの保持を行わない。
【００６５】
このように、仮止め制御部１１１が印字内容に応じた制御を行ってもよい。例えば、上述のように、所定値（本実施形態では上述の閾値）を基準として印字データの量が少ないことを条件に仮止め部８７を非稼働とし紙Ｘを保持させないようにしてもよい。逆に、印字データの量が基準と比較して多い場合に仮止め部８７を第２状態にする制御を行ってもよい。
【００６６】
なお、上記実施形態では、仮止め部８７は、固定クランプ９３と可動クランプ９４とで紙の先端部を厚さ方向に挟んで保持する構造であるが、実施にあたっては、当該構造に限らない。つまり、仮止め部は、紙を保持できるものであればよく、構造は問わない。
【００６７】
また、上記実施形態の仮止め部８７は、固定クランプ９３の付勢を行う弾性部材として、ばね９５を備えているが、実施にあたってはこの構成に限らない。実施にあたっては、固定クランプ９３と可動クランプ９４とが所定の弾性力をもって圧接する構成であればよい。したがって、付勢されるのが固定クランプ９３でなく可動クランプ９４であってもよいし、付勢を行う部材がつるまきばねでなくともよいし、付勢部材を設ける場所が異なっていてもよい。
【００６８】
そして、上記実施形態では、ＰＯＳ端末装置１が備えるプリンタ部８をプリンタ装置の一例として説明したが、実施にあたっては、プリンタ装置は、ＰＯＳ端末装置１が備えるプリンタ部８でなくともよく、帯状の紙を切断して排出するプリンタ装置であればよい。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
８…プリンタ部（プリンタ装置）
２１…筐体
８６…切断部
８７…仮止め部
８８…発行口
８９…印字部
１１１…仮止め制御部
【先行技術文献】
【特許文献】
【００７１】
【特許文献１】特開２０１５−１３７１６８号公報
【図１】
2017128038.tif 000003
【図２】
2017128038.tif 000004
【図３−１】
2017128038.tif 000005
【図３−２】
2017128038.tif 000006
【図３−３】
2017128038.tif 000007
【図４】
2017128038.tif 000008
【図５】
2017128038.tif 000009
【図６】
2017128038.tif 000010
【図７】
2017128038.tif 000011
【図８】
2017128038.tif 000012
【図９】
2017128038.tif 000013
【図１０】
2017128038.tif 000014
【図１１】
2017128038.tif 000015
【図１２】
2017128038.tif 000016
【図１３】
2017128038.tif 000017